(57)【要約】【課題】  垂木間に中骨が不要な簡易構造物の提供。【解決手段】  屋根６の勾配１０に沿って配置した複数の垂木１，１，…と、垂木１，１間に取付けたパネル２と、垂木１上に取付けたパネル押え３とを備え、複数の垂木１，１，…は、略同一の高さに配置してあり、垂木１の上面とパネル押え３の下面とで、パネル２の両端部を斜め上向きに挟み込んで保持している。【選択図】      図１
2019002197.tif 000002
【特許請求の範囲】
【請求項１】
屋根の勾配に沿って配置した複数の垂木と、垂木間に取付けたパネルと、垂木上に取付けたパネル押えとを備え、複数の垂木は、略同一の高さに配置してあり、垂木の上面とパネル押えの下面とで、パネルの両端部を斜め上向きに挟み込んで保持していることを特徴とする簡易構造物。
【発明の詳細な説明】
【技術分野】
【０００１】
本発明は、カーポート等の簡易構造物に関する。
【背景技術】
【０００２】
カーポートやテラス等の簡易構造物の屋根は、複数本の垂木を間隔をおいて平行に設け、隣接する垂木間に樹脂製のパネルを取付けている。垂木間には多数の中骨が取付けられ、パネルが自重で下向きに撓まないようにパネルの下面を中骨で支えている（例えば、特許文献１参照。）。そのため、多数の中骨を用意したり、垂木に中骨を取付けるための切欠き加工を行ったりする必要があり、施工の手間やコストが増大している。また、屋根を下から見たときなどに中骨が目立ち、意匠性も良くなかった。
【先行技術文献】
【特許文献】
【０００３】
【特許文献１】特開２０１０−１８９８５６号公報
【発明の概要】
【発明が解決しようとする課題】
【０００４】
本発明は以上に述べた実情に鑑み、垂木間に中骨が不要な簡易構造物の提供を目的とする。
【課題を解決するための手段】
【０００５】
上記の課題を達成するために請求項１記載の発明による簡易構造物は、屋根の勾配に沿って配置した複数の垂木と、垂木間に取付けたパネルと、垂木上に取付けたパネル押えとを備え、複数の垂木は、略同一の高さに配置してあり、垂木の上面とパネル押えの下面とで、パネルの両端部を斜め上向きに挟み込んで保持していることを特徴とする。
【発明の効果】
【０００６】
請求項１記載の発明による簡易構造物は、垂木の上面とパネル押えの下面とで、パネルの両端部を斜め上向きに挟み込んで保持していることで、垂木間に中骨が無くてもパネルが自重で下向きに撓むのを防ぐことができ、中骨を無くすことで、コストダウンが図れる、意匠性が向上するといった効果がある。
【図面の簡単な説明】
【０００７】
【図１】図４のＢ部拡大図である。
【図２】垂木、パネル及びパネル押えを分離した状態で示す縦断面図である。
【図３】垂木とパネル押えとによるパネル端部の保持部を示す縦断面図であって、（ａ）はパネル押え取付用のネジを締め付ける前の状態、（ｂ）は同ネジを締め付けた後の状態を示す。
【図４】図７のＡ−Ａ断面図である。
【図５】本発明の簡易構造物の第１実施形態を示す正面図である。
【図６】同簡易構造物の側面図である。
【図７】同簡易構造物の平面図である。
【図８】垂木とパネル押えとによるパネル端部の保持部の他の実施形態を示す縦断面図である。
【図９】図８に示す垂木とパネルとパネル押えを分離した状態で示す縦断面図である。
【図１０】図８に示す垂木とパネル押えとによるパネル端部の保持部を示す縦断面図であって、（ａ）はパネル押え取付用のネジを締め付ける前の状態、（ｂ）は同ネジを締め付けた後の状態を示す。
【図１１】本発明の簡易構造物の第２実施形態を示す正面図である。
【図１２】同簡易構造物の縦断面図である。
【図１３】本発明の簡易構造物の第３実施形態を示す正面図である。
【図１４】同簡易構造物の側面図である。
【発明を実施するための形態】
【０００８】
以下、本発明の実施の形態を図面に基づいて説明する。図１〜７は、本発明の簡易構造物の第１実施形態を示している。本簡易構造物は、乗用車２台用のカーポートに適用したものである。本簡易構造物は、図５〜７に示すように、左右の柱４，４に梁５を架設した門型のフレームを前後方向に間隔をおいて２組備え、前後のフレーム上に屋根６を支持してある。
【０００９】
屋根６は、図５〜７に示すように、左右の側枠７，７と、前側の端部に設けた雨樋８と、後側の端部に設けた後枠９と、左右の側枠７，７間に間隔をおいて設けた複数の垂木１，１，…と、側枠７と垂木１の間と垂木１同士の間に取付けた屋根パネル２，２，…とを備える。屋根６は、図６に示すように、前側（雨樋８側）が低くなるように、水平面に対して４°傾斜している。複数の垂木１，１，…は、図５に示すように、屋根の勾配１０に沿って配置されている。また、複数の垂木１，１，…は、図４，７に示すように、コ字型の取付金具１１により梁１上に同一の高さで平行に配置されている。
【００１０】
本簡易構造物の屋根６は、図７に示すように、垂木１，１間に中骨を有しないものとなっており、中骨が無くてもパネル２が自重で下向きに撓まないように、垂木１とパネル押え３に以下のような特徴を有している。
垂木１は、図１，２に示すように、略矩形断面のアルミ形材よりなり、上面の左右両側にパネル２の端部を受けるパネル受け部１２が形成してある。パネル受け部１２の上面１２ａは、外側が高くなるように斜め上向きに傾斜している。パネル受け部１２の傾斜角度αは、３°としてある。パネル受け部１２には、ゴム質の下タイト材１３が取付けてあって、下タイト材１３がパネル２の下面に当接している。また、垂木１の上面の左右方向中央部には一対の突条１４，１４が設けてある。
パネル押え３は、アルミ形材よりなる略帯板状の部材であり、左右両側にパネル２の端部を押さえるパネル押さえ部１５が形成してある。パネル押さえ部１５の下面１５ａは、パネル受け部１２の上面１２ａと同様に、外側が高くなるように斜め上向きに傾斜している。パネル押さえ部１５の傾斜角度βは、パネル受け部１２の傾斜角度と同じ角度（３°）としてある。パネル押さえ部１５には、ゴム質の上タイト材１６が取付けてあって、上タイト材１６がパネル２の上面に当接している。またパネル押え３は、左右方向の中央部にネジ止め部１７と、一対の垂下片１８，１８を有している。パネル押え３は、図１に示すように、一対の垂下片１８，１８を垂木１上面の一対の突条１４，１４の外側に係合し、ネジ止め部１７に上方から挿通したネジ１９を垂木１上面の一対の突条１４，１４間の溝に螺入することで、垂木１上に取付けられる。
【００１１】
図３（ａ）は、パネル押え３を取付けるネジ１９を締め付ける前の状態、図３（ｂ）は同ネジを１９締め付けた後の状態を示している。ネジ１９を締め付けてゆくと、図３（ｂ）に示すように、パネル押え３のネジ止め部１７がネジ頭に押されて下降し、それに伴ってネジ止め部１７とパネル押さえ部１５の間の連結部２０が、パネル押さえ部１５の３°の傾斜を維持したままネジ止め部１７側の付け根２０ａ付近から上向きに曲がるように弾性変形し、その弾性力２１でパネル押さえ部１５がパネル２を押さえ、これによりパネル２の端部が垂木１上面のパネル受け部１２とパネル押え３下面のパネル押え部１５とで上下から挟み込んで保持される。上述のように、垂木１のパネル受け部１２とパネル押え３のパネル押さえ部１５は、何れも外側が高くなるように斜め上向きに３°傾斜しているため、パネル２は両端部が斜め上向きに保持される。そうして両端部が斜め上向きに保持されることで、パネル２には垂木１，１間で上向き湾曲させる力が作用する。この上向きに湾曲させる力と、自重により下向きに撓もうとする力とが相殺することで、図４に示すように、パネル２は垂木１，１間で略平坦になる。
【００１２】
側枠７の上面にも、垂木１と同様にパネル受け部１２が傾斜して設けてあり、パネル受け部１２と側枠７上に取付けたパネル押え３のパネル押さえ部１５とで、パネル２の端部を斜め上向きに挟み込んで保持している。
【００１３】
図８〜１０は、垂木１とパネル押え３とによるパネル２端部の保持部の他の実施形態を示している。この実施形態では、図９に示すように、パネル押え３のパネル押さえ部１５の下面１５ａが水平になっている。垂木１は、先に説明したものと同一のものであって、パネル受け部１２の上面１２ａが外側が高くなるように３°傾斜している。
この場合、パネル押え３を取付けるネジ１９を締め付けてゆくと、図１０（ｂ）に示すように、ネジ止め部１７とパネル押さえ部１５の間の連結部２０が付け根２０ａ付近から上向きに曲がるように弾性変形するのに加え、パネル押さえ部１５がパネル受け部１２の傾斜に追従するように、連結部２０のパネル押さえ部１５側の端部２０ｂ付近でも弾性変形する。このように、パネル押さえ部１５に角度が付けてなくても、パネル受け部１２の傾斜に追従して弾性変形することで、パネル２の端部を斜め上向きに保持できる。本実施形態のパネル押え３（パネル押さえ部１５が傾斜してないもの）は、従来のカーポート等に用いていたものと兼用することができる。
【００１４】
以上に述べたように本簡易構造物は、垂木１の上面（本実施形態では、パネル受け部１２に取付けた下タイト材１３）とパネル押え３の下面（本実施形態では、パネル押さえ部１５に取付けた上タイト材１６）とで、パネル２の両端部を斜め上向きに挟み込んで保持していることで、垂木１，１間に中骨が無くてもパネル２が自重で下向きに撓むのを防ぐことができ、中骨を無くすことで、コストダウンが図れる、施工の手間が省ける、意匠性が向上するといった効果がある。本簡易構造物は、屋根の勾配１０に沿って配置した複数の垂木１，１，…が略同一の高さに配置され、垂木１，１間にパネル２が取付けてあることで、パネル２の両端部を斜め上向きに保持したことでパネル２が垂木１，１間で上向きに膨らんだとしても、屋根６上に雨水が溜まることがなく、屋根の傾斜１０に沿って雨水を速やかに排水できる。
さらに本簡易構造物は、自重で下向きに撓もうとするのと相殺して、垂木１，１間でパネル２が略平坦になるようにパネル両端部の傾斜角度を設定したことで、パネル２が平坦に見えて意匠性が良く、雨水の排水性も良い。垂木１，１，…が略同一の高さに配置してあり、パネル２の両端部を略同じ角度で斜め上向きに保持していることで、パネル２を上向きに湾曲させる力を均等に働かせることができ、結果として垂木１，１間でパネル２が略平坦になる。
【００１５】
図１１，１２は、本発明の簡易構造物の第２実施形態を示している。本実施形態は、乗用車３台用のカーポートに適用したものであり、梁５の長さ、屋根６の横幅が、第１実施形態よりも長くなっている。屋根６が前側が低くなるように傾斜しているのは、第１実施形態と同様である。
本実施形態は、梁５上に垂木１が１３本取付けてあるが、そのうち左右方向の中央寄りの３本の垂木１ａ，１ａ，１ａは、図１２に示すように、取付金具１１の両側の立ち上り部２２，２２の長さを長くすることで、他の垂木１ｂ，１ｂ，…よりも少し高い位置に配置してある。中間部の垂木１ａと他の垂木１ｂとの高さの違いｈは、８ｍｍとしてある。これは、梁５の長さが長い為に梁５が自重や屋根６の重みで中央部が下向きに撓むのを考慮したもので、実際の設置状態では中間部の垂木１ａも他の垂木１ｂと略同じ高さに配置される。
垂木１（１ａ，１ｂ）とパネル押え３は、先に説明した第１実施形態と同じものを用いており、垂木１の上面とパネル押え３の下面とでパネル２の両端部を斜め上向きに挟み込んで保持し、これにより垂木１，１間に中骨が無くてもパネル２が自重で下向きに撓むのを防いでいる。
【００１６】
図１３，１４は、本発明の簡易構造物の第３実施形態を示している。本簡易構造物は、乗用車１台用のカーポートであって、梁５は１本の柱４で片持ち支持してある。梁５は、図１３に示すように、基端部より先端部にかけて上向きに１°傾斜している。これは、梁５が自重や屋根６の重みにより先端側が下がるように撓むのを考慮したものであり、実際の設置状態では、梁５は略まっすぐ（水平）になり、梁５上に取付けた複数の垂木１，１，…は略同一高さに配置される。屋根６は、第１、第２実施形態と同様に、前側が低くなるように傾斜している（図１４参照）。
垂木１とパネル押え３は、先に説明した第１実施形態と同じものを用いており、垂木１の上面とパネル押え３の下面とでパネル２の両端部を斜め上向きに挟み込んで保持し、これにより垂木１，１間に中骨が無くてもパネル２が自重で下向きに撓むのを防いでいる。
【００１７】
本発明は以上に述べた実施形態に限定されない。垂木及びパネル押えの具体的な形状は、適宜変更することができる。本発明の簡易構造物は、屋根の勾配に沿って配置した複数の垂木が略同一の高さに配置されていればよく、それ以外の構成、例えば柱と梁の配置、屋根の構成・向き等は、任意である。垂木上面のパネル受け部の傾斜角度は、パネルの強度、垂木間の距離等を考慮して、適宜設定することができる。本簡易構造物は、実施形態に示したカーポートに限らず、あらゆる簡易構造物に適用することができ、例えばテラスやガーデンルーム等の壁付けの簡易構造物に適用することもできる。
【符号の説明】
【００１８】
１，１ａ，１ｂ  垂木
２  パネル
３  パネル押え
６  屋根
【図１】
2019002197.tif 000003
【図２】
2019002197.tif 000004
【図３】
2019002197.tif 000005
【図４】
2019002197.tif 000006
【図５】
2019002197.tif 000007
【図６】
2019002197.tif 000008
【図７】
2019002197.tif 000009
【図８】
2019002197.tif 000010
【図９】
2019002197.tif 000011
【図１０】
2019002197.tif 000012
【図１１】
2019002197.tif 000013
【図１２】
2019002197.tif 000014
【図１３】
2019002197.tif 000015
【図１４】
2019002197.tif 000016